【手続補正書】
【提出日】平成20年7月14日(2008.7.14)
【手続補正１】
【補正対象書類名】明細書
【補正対象項目名】特許請求の範囲
【補正方法】変更
【補正の内容】
【特許請求の範囲】
【請求項１】
配列番号：１で表されるアミノ酸配列と同一もしくは実質的に同一のアミノ酸配列を含有するポリペプチドもしくはそのアミドもしくはそのエステルまたはその塩を含有する抗注意欠陥障害または抗ナルコレプシー剤。
【請求項２】
以下の（a）〜（e）からなる群から選択されるポリペプチドもしくはそのアミドもしくはそのエステルまたはその塩を含有する抗注意欠陥障害または抗ナルコレプシー剤：
（a）配列番号：１で表されるアミノ酸配列を含有するポリペプチド；
（b）配列番号：１で表されるアミノ酸配列中の１個のアミノ酸が欠失したアミノ酸配列を含有し、かつＧＰＲ１４（ＳＥＮＲ）結合活性を有するポリペプチド；
（c）配列番号：１で表されるアミノ酸配列に１〜１２個のアミノ酸が付加したアミノ酸配列を含有し、かつＧＰＲ１４（ＳＥＮＲ）結合活性を有するポリペプチド；
（d）配列番号：１で表されるアミノ酸配列中の１〜５個のアミノ酸が他のアミノ酸で置換されたアミノ酸配列を含有し、かつＧＰＲ１４（ＳＥＮＲ）結合活性を有するポリペプチド；および
（e）前記（b）〜（d）を組み合わせたアミノ酸配列を含有し、かつＧＰＲ１４（ＳＥＮＲ）結合活性を有するポリペプチド。
【請求項３】
配列番号：２、配列番号：９、配列番号：１０、配列番号：１８、配列番号：１９、配列番号：２４、配列番号：２６、配列番号：２７、配列番号：２８または配列番号：２９で表されるアミノ酸配列を含有するポリペプチドもしくはそのアミドもしくはそのエステルまたはその塩を含有する、請求項１または２記載の抗注意欠陥障害または抗ナルコレプシー剤。
【請求項４】
以下の（a）〜（e）からなる群から選択されるポリペプチドもしくはそのアミドもしくはそのエステルまたはその塩を含有する、請求項１または２記載の抗注意欠陥障害または抗ナルコレプシー剤：
（a）配列番号：１で表されるアミノ酸配列を含有するポリペプチド；
（b）配列番号：１で表されるアミノ酸配列中のＮ末端の１個のアミノ酸が欠失したアミノ酸配列を含有し、かつＧＰＲ１４（ＳＥＮＲ）結合活性を有するポリペプチド；および
（c）配列番号：１で表されるアミノ酸配列中の(1)Ｎ末端から２番目のアミノ酸（Ｐｒｏ）がＧｌｕに置換され、(2)Ｎ末端から４番目のアミン酸（Ｓｅｒ）がＰｒｏに置換され、および／または(3)Ｎ末端から５番目のアミノ酸（Ｇｌｕ）がＡｓｐに置換されたアミノ酸配列を含有し、かつＧＰＲ１４（ＳＥＮＲ）結合活性を有するポリペプチド；および
（d）前記（b）および（c）を組み合わせたアミノ酸配列を含有し、かつＧＰＲ１４（ＳＥＮＲ）結合活性を有するポリペプチド。
【請求項５】
配列番号：１または配列番号：１０で表されるアミノ酸配列を含有するポリペプチドもしくはそのアミドもしくはそのエステルまたはその塩を含有する、請求項１〜４のいずれかに記載の抗注意欠陥障害または抗ナルコレプシー剤。
【請求項６】
配列番号：１で表されるアミノ酸配列と同一もしくは実質的に同一のアミノ酸配列を含有するポリペプチドをコードする塩基配列を含有するＤＮＡを含有する抗注意欠陥障害または抗ナルコレプシー剤。
【請求項７】
ＤＮＡが配列番号：１２、配列番号：１３、配列番号：３４、配列番号：２０、配列番号：２１、配列番号：２５、配列番号：３０、配列番号：３１、配列番号：３２または配列番号：３３で表される塩基配列を含有するＤＮＡである請求項６記載の抗注意欠陥障害または抗ナルコレプシー剤。
【請求項８】
配列番号：１で表されるアミノ酸配列と同一もしくは実質的に同一のアミノ酸配列を含有するポリペプチドの前駆体タンパク質もしくはそのアミドもしくはそのエステルまたはその塩を含有する抗注意欠陥障害または抗ナルコレプシー剤。
【請求項９】
配列番号：７、配列番号：８、配列番号：１４、配列番号：１７または配列番号：２３で表わされるアミノ酸配列と同一もしくは実質的に同一のアミノ酸配列を含有する請求項８記載の抗注意欠陥障害または抗ナルコレプシー剤。
【請求項１０】
配列番号：１で表されるアミノ酸配列と同一もしくは実質的に同一のアミノ酸配列を含有するポリペプチドもしくはそのアミドもしくはそのエステルまたはその塩、またはその前駆体タンパク質もしくはその塩を用いることを特徴とする抗注意欠陥障害もしくは抗ナルコレプシー活性を有する化合物または抗不安、抗うつ、抗不眠、抗精神分裂症もしくは抗恐怖活性を有する化合物、またはそれらの塩のスクリーニング方法。
【請求項１１】
以下の（a）〜（e）からなる群から選択されるポリペプチドもしくはそのアミドもしくはそのエステルまたはその塩を用いる抗注意欠陥障害もしくは抗ナルコレプシー活性を有する化合物または抗不安、抗うつ、抗不眠、抗精神分裂症もしくは抗恐怖活性を有する化合物、またはそれらの塩のスクリーニング方法：
（a）配列番号：１で表されるアミノ酸配列を含有するポリペプチド；
（b）配列番号：１で表されるアミノ酸配列中の１個のアミノ酸が欠失したアミノ酸配列を含有し、かつＧＰＲ１４（ＳＥＮＲ）結合活性を有するポリペプチド；
（c）配列番号：１で表されるアミノ酸配列に１〜１２個のアミノ酸が付加したアミノ酸配列を含有し、かつＧＰＲ１４（ＳＥＮＲ）結合活性を有するポリペプチド；
（d）配列番号：１で表されるアミノ酸配列中の１〜５個のアミノ酸が他のアミノ酸で置換されたアミノ酸配列を含有し、かつＧＰＲ１４（ＳＥＮＲ）結合活性を有するポリペプチド；および
（e）前記（b）〜（d）を組み合わせたアミノ酸配列を含有し、かつＧＰＲ１４（ＳＥＮＲ）結合活性を有するポリペプチド。
【請求項１２】
以下の（a）〜（e）からなる群から選択されるポリペプチドもしくはそのアミドもしくはそのエステルまたはその塩を用いる、請求項１１記載のスクリーニング方法：
（a）配列番号：１で表されるアミノ酸配列を含有するポリペプチド；
（b）配列番号：１で表されるアミノ酸配列中のＮ末端の１個のアミノ酸が欠失したアミノ酸配列を含有し、かつＧＰＲ１４（ＳＥＮＲ）結合活性を有するポリペプチド；および
（c）配列番号：１で表されるアミノ酸配列中の(1)Ｎ末端から２番目のアミノ酸（Ｐｒｏ）がＧｌｕに置換され、(2)Ｎ末端から４番目のアミン酸（Ｓｅｒ）がＰｒｏに置換され、および／または(3)Ｎ末端から５番目のアミノ酸（Ｇｌｕ）がＡｓｐに置換されたアミノ酸配列を含有し、かつＧＰＲ１４（ＳＥＮＲ）結合活性を有するポリペプチド；および
（d）前記（b）および（c）を組み合わせたアミノ酸配列を含有し、かつＧＰＲ１４（ＳＥＮＲ）結合活性を有するポリペプチド。
【請求項１３】
配列番号：１または配列番号：１０で表されるアミノ酸配列を含有するポリペプチドもしくはそのアミドもしくはそのエステルまたはその塩を用いる、請求項１１または１２記載のスクリーニング方法。
【請求項１４】
配列番号：１で表されるアミノ酸配列と同一もしくは実質的に同一のアミノ酸配列を含有するポリペプチドもしくはそのアミドもしくはそのエステルまたはその塩、またはその前駆体タンパク質もしくはその塩を含有してなる抗注意欠陥障害もしくは抗ナルコレプシー活性を有する化合物または抗不安、抗うつ、抗不眠、抗精神分裂症もしくは抗恐怖活性を有する化合物、またはそれらの塩のスクリーニング用キット。
【請求項１５】
以下の（a）〜（e）からなる群から選択されるポリペプチドもしくはそのアミドもしくはそのエステルまたはその塩を含有してなる抗注意欠陥障害もしくは抗ナルコレプシー活性を有する化合物または抗不安、抗うつ、抗不眠、抗精神分裂症もしくは抗恐怖活性を有する化合物、またはそれらの塩のスクリーニング用キット：
（a）配列番号：１で表されるアミノ酸配列を含有するポリペプチド；
（b）配列番号：１で表されるアミノ酸配列中の１個のアミノ酸が欠失したアミノ酸配列を含有し、かつＧＰＲ１４（ＳＥＮＲ）結合活性を有するポリペプチド；
（c）配列番号：１で表されるアミノ酸配列に１〜１２個のアミノ酸が付加したアミノ酸配列を含有し、かつＧＰＲ１４（ＳＥＮＲ）結合活性を有するポリペプチド；
（d）配列番号：１で表されるアミノ酸配列中の１〜５個のアミノ酸が他のアミノ酸で置換されたアミノ酸配列を含有し、かつＧＰＲ１４（ＳＥＮＲ）結合活性を有するポリペプチド；および
（e）前記（b）〜（d）を組み合わせたアミノ酸配列を含有し、かつＧＰＲ１４（ＳＥＮＲ）結合活性を有するポリペプチド。
【請求項１６】
以下の（a）〜（e）からなる群から選択されるポリペプチドもしくはそのアミドもしくはそのエステルまたはその塩を含有する、請求項１４または１５記載のスクリーニング用キット：
（a）配列番号：１で表されるアミノ酸配列を含有するポリペプチド；
（b）配列番号：１で表されるアミノ酸配列中のＮ末端の１個のアミノ酸が欠失したアミノ酸配列を含有し、かつＧＰＲ１４（ＳＥＮＲ）結合活性を有するポリペプチド；および
（c）配列番号：１で表されるアミノ酸配列中の(1)Ｎ末端から２番目のアミノ酸（Ｐｒｏ）がＧｌｕに置換され、(2)Ｎ末端から４番目のアミン酸（Ｓｅｒ）がＰｒｏに置換され、および／または(3)Ｎ末端から５番目のアミノ酸（Ｇｌｕ）がＡｓｐに置換されたアミノ酸配列を含有し、かつＧＰＲ１４（ＳＥＮＲ）結合活性を有するポリペプチド；および
（d）前記（b）および（c）を組み合わせたアミノ酸配列を含有し、かつＧＰＲ１４（ＳＥＮＲ）結合活性を有するポリペプチド。
【請求項１７】
配列番号：１または配列番号：１０で表されるアミノ酸配列を含有するポリペプチドもしくはそのアミドもしくはそのエステルまたはその塩を含有する、請求項１４〜１６のいずれかに記載のスクリーニング用キット。
【請求項１８】
配列番号：１で表されるアミノ酸配列と同一もしくは実質的に同一のアミノ酸配列を含有するポリペプチドをコードする塩基配列を含有するＤＮＡと相補的な塩基配列またはその一部を含有してなるポリヌクレオチドを用いることを特徴とする、注意欠陥障害もしくはナルコレプシーまたは不安、うつ、不眠、精神分裂症もしくは恐怖診断方法。
【請求項１９】
配列番号：１で表されるアミノ酸配列と同一もしくは実質的に同一のアミノ酸配列を含有するポリペプチドまたは配列番号：１で表されるアミノ酸配列と同一もしくは実質的に同一のアミノ酸配列を含有するポリペプチドの前駆体タンパク質もしくはそれらのアミドもしくはそれらのエステルまたはそれらの塩に対する抗体を含有することを特徴とする抗不安、抗うつ、抗不眠、抗精神分裂症もしくは抗恐怖剤。
【請求項２０】
配列番号：３または配列番号：１１で表されるアミノ酸配列を含有するタンパク質もしくはそれらのアミドもしくはそれらのエステルまたはそれらの塩に対する抗体を含有することを特徴とする抗注意欠陥障害もしくは抗ナルコレプシーまたは抗不安、抗うつ、抗不眠、抗精神分裂症もしくは抗恐怖剤。
【請求項２１】
配列番号：１で表されるアミノ酸配列と同一もしくは実質的に同一のアミノ酸配列を含有するポリペプチドまたは配列番号：１で表されるアミノ酸配列と同一もしくは実質的に同一のアミノ酸配列を含有するポリペプチドの前駆体タンパク質もしくはそれらのアミドもしくはそれらのエステルまたはそれらの塩に対する抗体を含有することを特徴とする不安、うつ、不眠、精神分裂症もしくは恐怖症診断剤。
【請求項２２】
配列番号：３または配列番号：１１で表されるアミノ酸配列を含有するタンパク質もしくはそれらのアミドもしくはそれらのエステルまたはそれらの塩に対する抗体を含有することを特徴とする注意欠陥障害もしくはナルコレプシーまたは不安、うつ、不眠、精神分裂症もしくは恐怖症診断剤。
【請求項２３】
配列番号：３４で表される塩基配列を含有するＤＮＡの一塩基多型（ＳＮＰｓ）を含有してなる診断剤。
【請求項２４】
注意欠陥障害もしくはナルコレプシーまたは不安、うつ、不眠、精神分裂症もしくは恐怖症の診断剤である請求項２３記載の診断剤。
【請求項２５】
配列番号：３４で表される塩基配列を含有するＤＮＡの一塩基多型（ＳＮＰｓ）を解析することを特徴とする注意欠陥障害もしくはナルコレプシーまたは不安、うつ、不眠、精神分裂症もしくは恐怖症診断方法。
【請求項２６】
ＧＰＲ１４アゴニストからなる抗注意欠陥障害もしくは抗ナルコレプシー剤。
【請求項２７】
ＧＰＲ１４アンタゴニストからなる抗不安、抗うつ、抗不眠、抗精神分裂症もしくは抗恐怖剤。
【請求項２８】
ＧＰＲ１４アンタゴニストが、式（Ｉａ）：
【化１】
2002338491.tif 000001
［式中、Ａaは置換されていてもよいベンゼン環を、Ｂaは置換されていてもよい５〜８員環を、Ｘaは直鎖部分の原子数が１〜４の２価の基を、Ｒ1aは置換されていてもよいアミノ基を、Ｒ2aは置換されていてもよい環状基を示す］で表される化合物またはその塩である請求項２７記載の抗不安、抗うつ、抗不眠、抗精神分裂症もしくは抗恐怖剤。
【請求項２９】
ＧＰＲ１４アンタゴニストが、式（ＩＩａ）：
【化２】
2002338491.tif 000002
［式中、Ａa'は置換基Ｒ3a以外にさらに置換基を有していてもよいベンゼン環を、Ｂaは置換されていてもよい５〜８員環を、Ｘaは直鎖部分の原子数が１〜４の２価の基を、Ｒ1a'は置換されたアミノ基を、Ｒ2aは置換されていてもよい環状基を、Ｒ3aは置換されていてもよい炭化水素基、置換されていてもよい複素環基、ニトロ基、ハロゲン原子、置換されていてもよいアミノ基または式
Ｒ4a−Ｙa−
で表される基（式中、Ｙaは酸素原子または酸化されていてもよい硫黄原子を、Ｒ4aは置換されていてもよい炭化水素基または置換されていてもよい複素環基を示す）を示す］で表される化合物またはその塩である請求項２７記載の抗不安、抗うつ、抗不眠、抗精神分裂症もしくは抗恐怖剤。
【請求項３０】
ＧＰＲ１４アンタゴニストが、式（Ｉｂ）：
【化３】
2002338491.tif 000003
［式中、Ａｒは置換されていてもよいアリール基を示し、Ｘは直鎖部分を構成する原子の数が１ないし４のスペーサーを示し、ｎは１ないし１０の整数を示し、Ｒは水素原子または置換されていてもよい炭化水素基であって、ｎの繰り返しにおいて、同一でも異なっていてもよく、またＲはＡｒまたはＡｒの置換基と結合して環を形成していてもよく、Ｙは置換されていてもよいアミノ基または置換されていてもよい含窒素複素環基を示す。］で表される化合物またはその塩である請求項２７記載の抗不安、抗うつ、抗不眠、抗精神分裂症もしくは抗恐怖剤。
【請求項３１】
ＧＰＲ１４アンタゴニストが、式（ＩＩｂ）：
【化４】
2002338491.tif 000004
［式中、Ｒ1は水素原子、置換されていてもよい炭化水素基または置換されていてもよいアシル基を示し、Ａ環はさらに置換基を有していてもよいベンゼン環を示し、Ｘは直鎖部分を構成する原子の数が１ないし４のスペーサーを示し、ｎは１ないし１０の整数を示し、Ｒは水素原子または置換されていてもよい炭化水素基であって、ｎの繰り返しにおいて、同一でも異なっていてもよく、またＲはＡ環またはＡ環の置換基と結合して環を形成していてもよく、Ｙは置換されていてもよいアミノ基または置換されていてもよい含窒素複素環基を示す］で表される化合物またはその塩である請求項２７記載の抗不安、抗うつ、抗不眠、抗精神分裂症もしくは抗恐怖剤。
【請求項３２】
ＧＰＲ１４アンタゴニストが、式（Ｉｃ）：
【化５】
2002338491.tif 000005
［式中、Ｒ1cは水素原子または置換されていてもよい炭化水素基を示し、Ｘcは直鎖部分を構成する原子の数が１〜１２のスペーサーを示し、Ｒ1cおよびＸcは結合して環を形成していてもよく、Ａcは置換されていてもよいアミノ基または置換されていてもよい含窒素複素環基を示し、Ｒ2cは置換されていてもよい炭化水素基または置換されていてもよいアミノ基を示し、Ｒ3cは置換されていてもよい炭化水素基を示し、Ｂc環およびＣc環はそれぞれさらに置換されていてもよいベンゼン環を示す］で表される化合物またはその塩である請求項２７記載の抗不安、抗うつ、抗不眠、抗精神分裂症もしくは抗恐怖剤。